(57)【要約】【課題】複数のユーザからのオーダを受けることが可能で、オーダの内容の変更が可能な受付装置を構成する。【解決手段】ディスプレイ３にオーダ取得画面を表示してユーザのオーダを受け付け、このオーダに対応したオーダデータをユーザの識別情報に関連付けてハードディスクＨＤａに保存する。この後、入力された識別情報が既に保存されている場合には、その識別情報のオーダデータの内容を反映したオーダ取得画面を表示し、これに対してオーダを受け付け、既に保存されているオーダデータの変更を許すオーダデータ管理手段１５を備えた。【選択図】図２
2010128576.tif 000002
【特許請求の範囲】
【請求項１】
取得した複数の画像データを一覧化してディスプレイに表示し、表示された複数の画像データからユーザが指定するものを出力対象とするオーダデータを生成するオーダデータ管理手段を備えている受付装置であって、
前記オーダデータ管理手段は、前記複数の画像データが一覧化して表示されるオーダ取得画面を前記ディスプレイに表示し、このオーダ取得画面において指定されたものを出力対象とする前記オーダデータを生成し、そのオーダデータと前記ユーザの識別情報とを関連付けてストレージに保存するデータ取得モジュールを備えると共に、
前記識別情報が入力され、その識別情報に対応するオーダデータが前記ストレージに存在する場合には、そのオーダデータが反映されたオーダ取得画面を前記ディスプレイに表示してオーダデータの変更を許容するデータ変更モジュールを備えている受付装置。
【請求項２】
前記識別情報を、引換証にプリントする引換証プリンタが備えられると共に、この引換証にプリントされた識別情報を読み取る情報リーダを備え、この情報リーダによって引換証の識別情報が読み取られた際には、前記データ変更モジュールが、読み取られた識別情報と前記ストレージに保存されている識別情報との比較を行う請求項１記載の受付装置。
【請求項３】
前記ディスプレイにユーザ情報取得画面を表示し、このユーザ情報取得画面に対してユーザの氏名と、ユーザの所属を示す所属情報とが入力された場合に、氏名と所属情報とに前記識別情報が関連付けられる請求項１又は２記載の受付装置。
【請求項４】
前記オーダ取得画面に表示された複数の画像データのうち選択したものが表示される編集画面を新たに表示し、この編集画面においてトリミング、拡大、画像の合成のうち少なくとも１つの処理を実現する画像編集手段を備えている請求項１〜３のいずれか１項に記載の受付装置。
【請求項５】
前記オーダ取得画面に表示された複数の画像データのうち選択したものについて文字入力画面を新たに表示し、この文字入力画面において入力した文字の画像データに対する合成を許容する文字合成手段を備えている請求項１〜４のいずれか１項に記載の受付装置。
【発明の詳細な説明】
【技術分野】
【０００１】
本発明は、取得した複数の画像データを一覧化してディスプレイに表示し、表示された複数の画像データからユーザが指定するものを出力対象とするオーダデータを生成するオーダデータ管理手段を備えている受付装置に関し、詳しくは、撮影された画像データについて複数の顧客がオーダを行える技術に関する。
【背景技術】
【０００２】
上記のように構成された技術に関連するものとして特許文献１には、写真館側端末装置から本部側情報管理サーバにインターネットを介してアクセスして写真の電子画像データをアップロードすると共に、プリントサイズや価格等の情報が登録される。本部側情報管理サーバでは電子画像データに撮影年月日、撮影場所、整理番号等の識別情報を設定し、この画像データの閲覧可能条件を設定する。
【０００３】
学生側情報端末装置４０においてＩＤ情報が付与されたＣＤ−ＲＯＭで成る情報記憶媒体５０をセットした後に表示される画面から写真閲覧申込画面を選択することで本部側情報管理サーバにインターネットを介してアクセスすることが可能となり、この状態において撮影日や撮影場所の条件を入力することで写真の閲覧が可能となる。この閲覧により希望する写真を特定でき、希望写真確認画面においてサイズと枚数とを指定することでプリントの注文の申込が完了する。この申込内容は写真館に通知されることになり、写真館では申込に対応したプリントが行われ、学生に販売できるものとなる。
【０００４】
【特許文献１】特開２００２‐２４３７２号公報  （段落番号〔００１４〕〜〔００４０〕、図１〜図３）
【発明の開示】
【発明が解決しようとする課題】
【０００５】
学校行事の写真の販売形態として、行事を撮影した写真を掲示板等に貼り付けて公開し、各写真のプリントを募ることや、インデックスプリントを回覧し、インデックスプリントから写真のプリントを募ることが行われていた。
【０００６】
このように写真を掲示板に公開することや、インデックスプリントを用いて注文を募る形態では、掲示板の全ての写真を確認するのに時間が掛かることや、インデックスプリントの回覧に時間が掛かるものであった。
【０００７】
これに対して、特許文献１に記載される技術では、インターネットを介して画像データを閲覧し、必要とするものの注文を行えることから、閲覧に時間が要する不都合を解消でき、閲覧のためのプリントが不要となる良好な面を有するものとなる。この反面、写真のプリントを注文するためにインターネットに接続する端末が必要となるばかりか、インターネットを介して画像データを閲覧して注文を確定した後には、注文の変更を行えないものであった。
【０００８】
例えば、運動会の写真を注文する場合には、写真に撮影されている人物の顔が明瞭なものについては、注文しやすいものであるが、顔が小さく不明瞭である場合には、注文の是非の判断に時間が掛かるものであり、不要であると判断した後において必要性を感ずることもある。特に、小学校の運動会のように、本人の家族だけではなく、親族が写真を必要とする場合には、一度注文を行った後に、追加の注文を行いたいこともあった。
【０００９】
このような要望に対して、掲示板で写真を公開するものやインデックスプリントを回覧するものでは、注文を行った後に、注文の変更を行う際に、その変更が煩わしく、誤った注文を招き易すく、特許文献１の技術では対応ができないものであり、改善の余地があった。
【００１０】
本発明の目的は、複数のユーザからのオーダを受けることが可能で、オーダの内容の変更が可能な受付装置を合理的に構成する点にある。
【課題を解決するための手段】
【００１１】
本発明の特徴は、取得した複数の画像データを一覧化してディスプレイに表示し、表示された複数の画像データからユーザが指定するものを出力対象とするオーダデータを生成するオーダデータ管理手段を備えている受付装置であって、
前記オーダデータ管理手段は、前記複数の画像データが一覧化して表示されるオーダ取得画面を前記ディスプレイに表示し、このオーダ取得画面において指定されたものを出力対象とする前記オーダデータを生成し、そのオーダデータと前記ユーザの識別情報とを関連付けてストレージに保存するデータ取得モジュールを備えると共に、
前記識別情報が入力され、その識別情報に対応するオーダデータが前記ストレージに存在する場合には、そのオーダデータが反映されたオーダ取得画面を前記ディスプレイに表示してオーダデータの変更を許容するデータ変更モジュールを備えている点にある。
【００１２】
この構成によると、受付装置のディスプレイのオーダデータ取得画面に画像データが表示され、ユーザは画像データを確認して出力対象の特定を行える。これにより、受付装置は特定した画像データに対応したオーダデータを取得し、識別情報を関連付けてストレージにする。この後、ユーザが受付装置に識別情報を入力し、入力された識別情報に対応するオーダデータが、ストレージに保存されている場合には、オーダデータの内容が反映されたオーダ取得画面がディスプレイに表示され、ユーザはオーダ取得画面を介してオーダデータを変更することも可能となる。その結果、複数のユーザからの出力のオーダを受けることが可能で、オーダの内容の変更も可能な受付装置が構成された。
【００１３】
本発明は、前記識別情報を、引換証にプリントする引換証プリンタが備えられると共に、この引換証にプリントされた識別情報を読み取る情報リーダを備え、この情報リーダによって引換証の識別情報が読み取られた際には、前記データ変更モジュールが、読み取られた識別情報と前記ストレージに保存されている識別情報との比較を行っても良い。これによると、ユーザがオーダデータの内容を変更する場合には、受付証にプリントされた識別情報を情報リーダに読み取らせることで、オーダデータの変更が実現する。
【００１４】
本発明は、前記ディスプレイにユーザ情報取得画面を表示し、このユーザ情報取得画面に対してユーザの氏名と、ユーザの所属を示す所属情報とが入力された場合に、氏名と所属情報とに前記識別情報が関連付けられても良い。これによると、識別情報に関連付けられた所属情報に基づいてユーザの所属が明らかとなり、例えば、ユーザが学生であり、所属がクラスである場合には、ユーザをクラス毎に仕分けることにより、プリントした写真を学校のクラス単位に纏め、クラスの担任等が氏名からユーザを特定して手渡すことも可能となる。
【００１５】
本発明は、前記オーダ取得画面に表示された複数の画像データのうち選択したものが表示される編集画面を新たに表示し、この編集画面においてトリミング、拡大、画像の合成のうち少なくとも１つの処理を実現する画像編集手段を備えても良い。これによると、受付装置においてユーザがトリミング、拡大、画像の合成の少なくとも１つの処理を行える。
【００１６】
本発明は、前記オーダ取得画面に表示された複数の画像データのうち選択したものについて文字入力画面を新たに表示し、この文字入力画面において入力した文字の画像データに対する合成を許容する文字合成手段を備えても良い。これによると、画像データに撮影日時、撮影場所、行事の名称等を合成することが可能となる。
【発明を実施するための最良の形態】
【００１７】
以下、本発明の実施形態を図面に基づいて説明する。
〔本体構成〕
図１に示すように、筐体１の上部に、その表示面にタッチパネル２が形成された液晶型のディスプレイ３を備え、筐体１の前面に引換証Ｓ（図７を参照）をプリントする引換証プリンタ４と、引換証Ｓにプリントされたバーコードを読み取るバーコードリーダ５（情報リーダの一例）とを備え、筐体１の外部にポインティングデバイスとしてのマウス６を備え、更に、筐体１の内部に制御ユニット７を備えて受付装置Ａが構成されている。
【００１８】
この受付装置Ａは、学校や企業等の行事等において撮影された画像データを印画紙等のプリント媒体Ｐ（図８を参照）にプリントするプリント処理の依頼（注文）や、ＣＤ−Ｒ等のメディアに記録する記録処理の依頼（注文）を受ける端末として機能する。
【００１９】
カメラマンを派遣して行事等の撮影を行った業者による取り扱いを例に挙げると、業者は、カメラマンが撮影した画像データを受付装置Ａの制御ユニット７に保存した状態で、その受付装置Ａを学校や企業に一定期間だけ設置する。このように設置された状態で複数のユーザ（学校の学生や、企業の従業員）がディスプレイ３に表示されるオーダ取得画面に含まれる複数の画像データ（サムネイル画像）からユーザが必要とするものを指定して依頼（注文）を行える。ユーザが依頼（注文）を行うことにより、受付装置Ａにおいてユーザを特定する氏名とクラス（所属情報の一例）とに対応する識別情報が生成され、受付装置Ａで取得されたオーダデータが識別情報と関連付けられて制御ユニット７に保存される。尚、設置される受付装置Ａの数は１つに限るものではなく複数であっても良い。
【００２０】
一定期間が経過した後、業者が受付装置Ａを回収することや、受付装置Ａを設置したまま制御ユニット７に保存されているオーダデータと識別情報とを取得し、夫々のオーダデータに基づきプリント装置（図８を参照）において印画紙等のプリント媒体Ｐに画像データをプリントするプリント処理や、夫々のオーダデータに基づきディスクライター（図示せず）により画像データをＣＤ−Ｒ等のメディアに記録する記録処理を行う。これらプリント媒体ＰやＣＤ−Ｒは識別情報に基づいてユーザ毎に仕分けられ、学校や企業に届けられることになり、学校や企業では引換証Ｓによってユーザの確認を行って手渡すことが可能となり、業者は出力処理の料金を受け取ることができる。
【００２１】
尚、プリント装置としてインクジェット式のものを用いることや、トナーを用いる転写型のプリンタを用いても良い。
【００２２】
特に、本発明の受付装置Ａは、受付装置Ａが設置されている期間内であれば、出力処理を依頼（注文）した後に、そのユーザが依頼（注文）の内容を変更できるように構成された点に特徴を有する。
【００２３】
〔受付装置の制御構成〕
図２に示すように、受付装置Ａの制御ユニット７は、マイクロプロセッサＣＰＵに信号がアクセスする入出力インタフェース１１を備え、この入出力インタフェース１１に対して前記タッチパネル２、ディスプレイ３、引換証プリンタ４、バーコードリーダ５、マウス６、及び、この制御ユニット７に対するデータのアクセスを行う入出力端子８夫々の間で信号のアクセスを行う系が形成されている。
【００２４】
入出力インタフェース１１に対してストレージとしてのハードディスクＨＤａが接続しており、前記マイクロプロセッサＣＰＵのデータバスには半導体メモリ１２、オペレーティングシステム１３、識別情報管理手段１４、オーダデータ管理手段１５、画像補正手段１６、画像編集手段１７、文字合成手段１８夫々が接続している。尚、ストレージとしてはハードディスクに限るものではなく、ＥＥＰＲＯＭ等の不揮発性の半導体メモリで構成しても良い。
【００２５】
前記オペレーティングシステム１３は、前記ディスプレイ３に対してアイコンや処理画面等の必要な情報を表示し、この表示された情報に基づき、顧客がタッチパネル２に指等を接触させる操作を行うことにより必要とする情報を取得するＧＵＩ（Graphical User Interface）型の基本的な処理を実現する。
【００２６】
識別情報管理手段１４は、図４に示すユーザ情報取得画面２０をディスプレイ３に表示した状態でユーザが入力する情報から識別情報を生成する。
【００２７】
オーダデータ管理手段１５は、データ取得モジュール１５Ａとデータ変更モジュール１５Ｂとを備えている。データ取得モジュール１５Ａは、ディスプレイ３にオーダ取得画面３０（図６を参照）を表示すると共に、このオーダ取得画面３０に対して画像データのサムネイル画像を一覧化して表示し、このオーダ取得画面３０に対するユーザの操作に基づいて画像データに対するプリントサイズと、プリント枚数とを含むオーダデータを取得し、識別情報を関連付けてハードディスクＨＤａに保存する。
【００２８】
データ変更モジュール１５Ｂは、バーコードリーダ５で取得した識別情報に対応するオーダデータがハードディスクＨＤａに既に保存されている場合には、その識別情報にオーダデータが反映されたオーダ取得画面３０をディスプレイ３に表示し、このオーダ取得画面３０において指定された画像データに対するオーダデータを取得し、既に存在するオーダデータの変更を許容する。
【００２９】
画像補正手段１６は、任意に指定された画像データの色補正や濃度補正やコントラスト等の補正を実現する。画像編集手段１７は、任意に指定された画像データのトリミングや拡大や縮小、画像の合成などの処理を実現する画像加工を行う。文字合成手段１８は任意に指定された画像データに対して、ユーザが指定した文字データの合成処理を実現する。
【００３０】
尚、識別情報管理手段１４、オーダデータ管理手段１５、データ取得モジュール１５Ａ、データ変更モジュール１５Ｂ、画像補正手段１６、画像編集手段１７、文字合成手段１８夫々はソフトウエアで構成されるものであるが、これらをハードウエアで構成しても良く、ソフトウエアとハードウエアとの組み合わせで構成しても良い。
【００３１】
〔処理形態・オーダ受付ルーチン〕
オーダを受け付ける制御を実現するために受付装置Ａに対し、カメラマンによって撮影された画像データのサムネイル画像を入出力端子８を介して予めインストールしておく必要がある。そして、このようにサムネイル画像がインストールされた受付装置Ａは学校や企業において多くの人が自由に出入りできる部屋やロビー等に設置される。以下に、この受付装置Ａを学校に設置し、プリント処理の受付を行う場合を例に挙げて制御構成と処理形態を以下に説明する。
【００３２】
受付装置Ａによるオーダ受付ルーチンの概要を図３のフローチャートに示している。この受付装置Ａは、非受付時においてディスプレイ３に初期画面（図示せず）が表示され、ユーザ（学生）が指等を接触させることやマウス６を操作することにより、識別情報管理手段１４がディスプレイ３に対して図４に示すユーザ情報取得画面２０を表示する。この識別情報管理手段１４は、ユーザ情報取得画面２０に表示されるキーボード部２３等をユーザが操作することで学生の氏名と、学生が所属するクラス（所属情報の一例）が入力された場合に、これらを取得し、この氏名の情報とクラスの情報とに関連付けた識別情報を生成する（＃１０１〜＃１０３ステップ）。
【００３３】
ユーザ情報取得画面２０は、図４に示すように学生の氏名を入力する名前入力領域２１と、学生のクラスの情報を入力するクラス入力領域２２と、キーボード部２３と、カーソルキー部２４と、複数の文字制御キー２５とを備えると共に、画面の下段位置には、処理の放棄のための操作と、処理を完了する操作とを実現する２種の制御ボタン２６が形成されている。
【００３４】
尚、＃１０２ステップで識別情報を取得する処理（＃１０２・Ｙｅｓ）とは、引換証Ｓにバーコードでプリントされた識別情報を取得し、取得した識別情報が既に存在することを判別した際の処理である。
【００３５】
制御ユニット７で識別情報が生成された後には、その識別情報の存否の判別を行い、識別情報が存在しない場合には、オーダデータ管理手段１５がディスプレイ３に図６に示すオーダ取得画面３０を表示する。この処理では、識別情報が新規である場合には、オーダ情報が入力されていないオーダ取得画面３０を表示することで、ユーザの操作に基づく新規のオーダデータの取得を実現する。
【００３６】
これとは逆にユーザの操作に基づくオーダデータが既に存在する場合には、図５に示す確認画面４５（オーダ確認メッセージ）をディスプレイ３に表示し、ユーザが確認した後に、オーダデータ管理手段１５が識別情報に対応したオーダデータが反映されたオーダ取得画面３０をディスプレイ３に表示する（＃１０４〜＃１０７ステップ）。
【００３７】
オーダ取得画面３０は、中央部に複数の画像データをサムネイル形式で一覧化して表示する画像表示部３１と、プリント枚数を表示する枚数表示部３２と、プリント枚数を増減する枚数変更ボタン３３とが形成されている。また、画像表示部３１の下側には、ページを切換える形態で複数の画像表示部３１のサムネイル画像を切り換えて表示するページ切換ボタン３４が配置されている。
【００３８】
更に、オーダ取得画面３０の下段位置には、処理の中止のための操作と、前の処理に戻るための操作と、処理を完了する操作とを実現する３種の制御ボタン３５が形成され、この制御ボタン３５に隣接する位置にプリントサイズ、プリントの合計枚数、プリントの合計金額を表示する表示部３６が形成され、この近傍位置に全ての画像データのプリント枚数を増減する増減ボタン３７と、補正ボタン３８と、編集ボタン３９と、文字合成ボタン４０とが形成されている。
【００３９】
ここで、オーダ情報が入力されていないオーダ取得画面３０とは、枚数表示部３２に数値が表示されない画面を指す。また、先に取得しているオーダデータが反映されたオーダ取得画面３０とは、そのユーザが先に入力したオーダデータと、これに対して補正データ、編集データ、文字合成データが関連付けられ、枚数表示部３２に対して既に入力された数値が表示された画面を指す。従って、このオーダデータが反映されたオーダ取得画面３０においてプリント枚数を変更することや、既に補正されている画像データについて補正を再び行うことも可能になる。
【００４０】
バーコードリーダ５によって引換証Ｓのバーコードの情報を読み取り、バーコードに対応した識別情報が既に存在する場合にも、前述と同様に、そのユーザの操作に基づくオーダデータの取得が既に行われているので、図５に示す確認画面４５（オーダ確認メッセージ）をディスプレイ３表示し、ユーザが確認した後に、先に取得しているオーダデータが反映されたオーダ取得画面３０をディスプレイ３に表示する（＃１０２、＃１０６、＃１０７ステップ）。
【００４１】
また、ユーザ情報取得画面２０を介して取得した情報に対応する識別情報が既に存在する場合にも、図５に示す確認画面４５（オーダ確認メッセージ）をディスプレイ３表示し、ユーザが確認した後に、先に取得しているオーダデータが反映されたオーダ取得画面３０をディスプレイ３に表示する（＃１０４、＃１０６、＃１０７ステップ）。
【００４２】
確認画面４５は、学生の氏名と学生のクラスとが表示されるメッセージ表示部４６と、複数の制御ボタンと４７が形成され、制御ボタン４７の操作によりオーダデータの取得が可能となる。
【００４３】
オーダ取得画面３０が表示された後には、オーダデータ管理手段１５がプリントサイズ、プリント対象となる撮影画像データの指定、プリント枚数の設定を許容する。
【００４４】
具体的には、オーダ取得画面３０において画像データのプリントを注文する場合には、枚数変更ボタン３３に学生が指を接触させることや、これらにカーソル（図示せず）を重ねてマウス６のボタンをクリックすることで、その画像データのプリント枚数の増減を行える。また、オーダ取得画面３０において新規にオーダデータを取得する処理はデータ取得モジュール１５Ａが実現し、先に取得しているオーダデータが反映されたオーダ取得画面３０においてオーダデータを取得し、オーダデータを変更する処理はデータ変更モジュール１５Ｂが実現する。
【００４５】
オーダ取得画面３０において補正ボタン３８に学生が指を接触させることや、カーソル（図示せず）を重ねてマウス６のボタンがクリックされた場合（ユーザから補正要求があった場合）には画像補正手段１６が補正画面（図示せず）をディスプレイ３に表示してカラーバランスの補正、濃度補正、コントラストの設定等の補正を実現する。
【００４６】
これと同様に編集ボタン３９が操作された場合（ユーザから編集要求があった場合）には画像編集手段１７が編集画面（図示せず）を表示して画像データのトリミングや画像データの拡大や縮小、あるいは、画像データの合成等の編集を実現する。更に、文字合成ボタン４０が操作された場合（文字合成要求があった場合）には文字合成手段１８が文字合成画面をディスプレイ３に表示して画像データに対して撮影場所や行事の名称や撮影された人物の名前等の文字合成を実現する。そして、処理を完了する制御ボタン４７を操作することでオーダが確定する（＃１０８〜＃１１２ステップ）。
【００４７】
また、オーダデータとは、プリントサイズと、プリント対象とする画像データのフレーム番号（コマ番号）と、画像データ毎のプリント枚数とで成る基本的なデータである。画像データの補正が行われた場合には、Ｒ（赤）、Ｇ（緑）、Ｂ（青）の３原色の各色における輝度値やコントラストに対応するパラメータ等を含む補正データが生成され、対象となる画像データを特定する情報を付してハードディスクＨＤａに保存される。画像データの編集が行われた場合には、画像データのトリミング、拡大、縮小、合成等に対応するパラメータや座標等を含む編集データが生成され、対象となる画像データを特定する情報を付してハードディスクＨＤａに保存される。更に、画像データに対する文字の合成が行われた場合には、文字コード、フォントサイズ、表示位置に対応するロケートデータ等の文字合成データが生成され、対象となる画像データを特定する情報を付してハードディスクＨＤａに保存される。
【００４８】
尚、補正データ、編集データ、文字合成データはファイル形式で生成されるものを想定しており、画像データを特定する情報としてはファイルのファイル名の一部に画像データのフレーム番号と識別情報とを含ませることや、ファイルのヘッダー等に画像データのフレーム番号と識別情報とを保存することが考えられる。特に、補正データ、編集データ、文字合成データのファイルを対象となる画像データに関連付ける参照ファイルを生成しても良い。
【００４９】
このようにオーダが確定し、オーダデータに識別情報を関連付けて保存され、必要な場合には補正データ、編集データ、文字合成データが保存された後には、引換証プリンタ４で引換証Ｓがプリントされる（＃１１３、＃１１４ステップ）。
【００５０】
この引換証Ｓは、図７に示すように学生の氏名、学生が所属するクラス、受付年月日、注文の詳細、プリントの料金、バーコード化された識別情報がプリントされる。図面に示していないが、先に注文を行った学生が再び注文を行った場合には、前述した通りオーダデータが変更されるとともに、変更された受付日時が引換証Ｓにプリントされる。
【００５１】
〔プリント装置の制御構成〕
受付装置Ａで受け付けたオーダデータに基づいてプリント処理を実現するプリント装置の概要を図８に示している。このプリント装置は、オーダデータ等を取得するプリント制御ユニットＢと、印画紙等のプリント媒体Ｐに画像データをプリントするプリントユニットＣと、処理袋Ｑに貼り付けられる識別シールＲをプリントするシールプリンタＤとを備えている。
【００５２】
プリント制御ユニットＢはモニタ５１、キーボード５２、マウス５３、データ入力部５４を備え、これらとプリント制御ユニットＢの入出力インタフェース６１との間で信号のアクセス系が形成されている。入出力インタフェース６１にはハードディスクＨＤｂが接続しており、更に、入出力インタフェース６１からプリントユニットＣに画像プリント処理情報を伝送する信号系が形成されると共に、入出力インタフェース６１からシールプリンタＤにシールプリント情報を伝送する信号系が形成されている。
【００５３】
プリント制御ユニットＢでは、マイクロプロセッサＣＰＵのデータバスには半導体メモリ６２、オペレーティングシステム６３、オーダデータ処理手段６４、シールプリント制御手段６５、画像処理手段６６、プリント実行手段６７夫々が接続している。
【００５４】
前記オペレーティングシステム６３は、モニタ５１に対してアイコンや処理画面等の必要な情報を表示し、キーボード５２やマウス５３の操作に対応したＧＵＩ型の制御を実現する。
【００５５】
前記オーダデータ処理手段６４は、データ入力部５４を介して取得したオーダデータの処理を行う。前記シールプリント制御手段６５は、図１０に示すように、識別情報に含まれる氏名や所属、処理の代金の額等を識別シールＲにプリントする。
【００５６】
前記画像処理手段６６は、画像補正モジュール６６Ａと、画像編集モジュール６６Ｂと、文字合成モジュール６６Ｃとを備えている。画像補正モジュール６６Ａは補正データに基づき対応する画像データの補正を行い、画像編集モジュール６６Ｂは編集データに基づき対応する画像データの編集を行い、文字合成モジュール６６Ｃは、文字合成データに基づき対応する画像データに対する文字データの合成を行う。
【００５７】
前記プリント実行手段６７は、画像処理手段６６で処理された画像データとプリント制御データとをプリントユニットＣに伝送してプリント媒体Ｐに対する画像データのプリントを実現する。
【００５８】
尚、オーダデータ処理手段６４、シールプリント制御手段６５、画像処理手段６６、プリント実行手段６７夫々はソフトウエアで構成されるものであるが、これらをハードウエアで構成しても良く、ソフトウエアとハードウエアとの組み合わせで構成しても良い。
【００５９】
〔処理形態・プリント実行ルーチン〕
プリント装置では、受付装置Ａで取得したデータに基づき、画像データのプリント処理を行うだけではなく、プリント対象となる画像データの補正、編集、文字合成を行うものであり、このプリント処理の形態を以下に説明する。
【００６０】
プリント制御ユニットＢによるプリント実行ルーチンの概要を図９のフローチャートに示している。プリント制御ユニットＢでは、受付装置Ａの入出力端子８を介してハードディスクＨＤａに保存されているオーダデータ等（オーダデータ、識別情報、補正データ、編集データ、文字合成データ）を先に取り出し、これをデータ入力部５４からプリント制御ユニットＢにロードする必要がある。
【００６１】
このようにオーダデータを取得してプリント制御ユニットのデータ入力部５４にロードするために、記憶媒体を用いて良く、入出力端子８とデータ入力部５４とを直接的に通信ケーブルで接続することやインターネットを利用しても良い。
【００６２】
オーダデータ等がロードされた（取得した）場合には、オーダデータ処理手段６４が、識別情報に対応する学生の氏名と学生のクラスに対応してオーダデータをグループ化し、出力順序（プリント順序）を設定する。更に、出力順序に対応してシールプリント制御手段６５がシールプリンタＤを制御することで図１０に示す如く氏名、クラス、プリントの詳細、代金の額等を識別シールＲにプリントする（＃２０１〜＃２０３）。
【００６３】
識別シールＲは処理袋Ｑに貼り付けられるものであるため、裏面に粘着面を形成したものを想定している。これによりオーダ単位でプリントされたプリント媒体Ｐは、同じクラスのものが連続的に送り出されることになり、同図に示す処理袋Ｑのクラス単位での仕分けも容易に行える。
【００６４】
次に、画像処理手段６６は、出力順序が設定されたオーダデータを指定し、このオーダデータで指定された画像データを半導体メモリ６２に展開し、プリント対象に指定された画像データに関連付けられた（その画像データを対象とする）補正データ、編集データ、文字合成データの存否を判別し、存在する場合には、対応する処理を実行される。この処理の後に画像データが出力画像データに変換され、プリント実行手段６７がプリントユニットＣに伝送してプリント処理を実現する（＃２０４〜＃２０８ステップ）。
【００６５】
この処理では、オーダデータでプリント対象に指定された画像データを対象とする補正データが存在する場合には、Ｒ（赤）、Ｇ（緑）、Ｂ（青）の３原色の各色における輝度値やコントラストの補正等が行われる。また、プリント対象に指定された画像データを対象とする編集データが存在する場合には、トリミング、拡大、縮小、合成等が行われる。プリント対象に指定された画像データを対象とする文字合成データが存在する場合には、文字コード、フォントサイズ、表示位置に対応するロケートデータ等に基づいて画像データと文字との合成が行われる。
【００６６】
出力画像データとは、ビットマップ構造に変換された画像データであり、この出力画像データは、プリントサイズのデータと、プリント枚数のデータとともにプリントユニットＣに伝送され、プリントユニットＣではプリントサイズデータに対応したプリント媒体Ｐに対して出力画像データを、プリント枚数に対応した数だけプリントする。
【００６７】
このようにプリント処理が順次実行され、１オーダの処理が終了した場合には、次のオーダについて同様の処理が行われる。そして、この処理は全てのオーダの処置が終了するまで継続する（＃２０９、＃２１０ステップ）。
【００６８】
このような処理を行う過程において、シールプリンタＤでプリントされた識別シールＲは処理袋Ｑに貼り付けられ、この処理袋Ｑに対応するオーダのプリント媒体Ｐが収容される。これにより、識別シールＲにプリントされた学生の氏名と学生のクラスとから、プリントを依頼した学生に対し、学生が持つ引換証Ｓによってオーダを確認する形態で処理袋Ｑとともに画像データがプリントされたプリント媒体Ｐを受け渡すことが可能となる。
【００６９】
〔実施形態の効果〕
このように本発明の受付装置Ａでは、設置された期間内においてプリント注文を行えることになる。この注文はオーダデータとしてハードディスクＨＤａに保存されるものであり、受付装置Ａが設置されている期間内であれば、注文の内容も可能である。注文の変更を行う場合には、既に取得している引換証Ｓのバーコードをバーコードリーダ５に読み取らせることや、ディスプレイ３のタッチパネル２を介して氏名とクラスとを入力することにより、既に保存されているオーダデータを反映したオーダ取得画面３０がディスプレイ３に表示される。そして、このオーダ取得画面３０にデータを入力する形態で操作を行うことで注文の変更が実現し、変更されたオーダデータがハードディスクＨＤａに保存される。
【００７０】
この受付装置Ａでは、画像データの補正を行うことにより補正データが生成され、画像データの編集を行うことにより編集データが生成され、画像データに対する文字の合成を行うことにより文字合成データが生成される。これらも対象とする画像データと識別情報とを判別できるようにハードディスクＨＤａに保存される。従って、注文の変更を行う場合には画像データの補正、画像データの編集、画像データに対する文字の合成の変更も可能となる。
【００７１】
また、受付装置Ａでは、識別情報としてユーザの氏名とクラス（所属）とを取得することにより、画像データがプリントされたプリント媒体Ｐを単純にオーダ単位で仕分けるのではなく、クラス単位で仕分けることが可能となり、例えば、学校において学生にプリント媒体Ｐを受け渡す際にも、クラスの担任がクラス毎に仕分けられた処理袋Ｑを生徒に手渡すことも可能となり、受け渡しが効率的に行える。
【００７２】
〔別実施形態〕
本発明は、上記した実施の形態以外に以下のように構成しても良い。
【００７３】
（ａ）無接触式に情報のアクセスを行うＩＤ情報を保存したカードを用いて入室の管理を行っている企業や学校では、ＩＤカードの情報を受付装置Ａで取得する端末を備えることで、個人の名前等の情報を入力できるように受付装置Ａを構成しても良い。このように構成したものでは、個人の名前や所属を入力する手間が省ける。
【００７４】
（ｂ）上記のようにＩＤ情報を保存したカードを用いる場合には、必ずしも引換証をプリントする必要はなく、例えば、カードのＩＤ情報によって個人を特定し、画像のプリント物を個人に引き渡すように処理形態を設定しても良い。これにより引換証をプリントする必要をなくすことが可能となる。
【００７５】
（ｃ）引換証Ｓとして、磁気によって識別情報を記録するカードや、アンテナを介して識別情報を受信し識別情報を保存するカードで構成しても良い。また、磁気によって識別情報を記録したカードを用いる場合には情報リーダとして磁気リーダを用い、アンテナを介して識別情報を受信して保存するカードを用いる場合には、非接触式の情報リーダを用いることになる。
【００７６】
（ｄ）受付装置Ａを学校や企業に設置する場合に、複数の学生や父兄が撮影した画像データを取得し、この画像データをプリント対象にできるように処理形態を設定する。このような処理を行うことにより、多くのカメラで撮影された画像データをプリント対象にできる。
【図面の簡単な説明】
【００７７】
【図１】受付装置の斜視図
【図２】受付装置の制御系のブロック回路図
【図３】オーダ受付ルーチンのフローチャート
【図４】ユーザ情報取得画面を示す図
【図５】確認画面を示す図
【図６】オーダ取得画面を示す図
【図７】引換証を示す図
【図８】プリント制御ユニットの制御系のブロック回路図
【図９】プリント実行ルーチンのフローチャート
【図１０】識別シールを示す図
【符号の説明】
【００７８】
３            ディスプレイ
４            引換証プリンタ
５            情報リーダ（バーコードリーダ）
１４          識別情報管理手段
１５          オーダデータ管理手段
１５Ａ        データ取得モジュール
１５Ｂ        データ変更モジュール
１７          画像編集手段
１８          文字合成手段
２０          ユーザ情報取得画面
３０          オーダ取得画面
Ｓ            引換証
ＨＤａ        ストレージ（ハードディスク）
【図１】
2010128576.tif 000003
【図２】
2010128576.tif 000004
【図３】
2010128576.tif 000005
【図４】
2010128576.tif 000006
【図５】
2010128576.tif 000007
【図６】
2010128576.tif 000008
【図７】
2010128576.tif 000009
【図８】
2010128576.tif 000010
【図９】
2010128576.tif 000011
【図１０】
2010128576.tif 000012